(57)【要約】【課題】ドアハンドルに接着材で固定されたドアハンドルカバーを容易に取り外すことが可能なドアハンドルカバーを提供する。【解決手段】ドアハンドル２の外壁面２ａを覆い、内壁面１ｂの中央部の接着部３においてドアハンドル２の外壁面２ａに接着されてドアハンドル２に固定されるドアハンドルカバー１であって、接着部３に隣接して内壁面１ｂに溝部４を設けることで、ドアハンドルカバー１の端部に工具等を差し込んでドアハンドルカバー１を引き剥がそうとした際に、ドアハンドルカバー１が溝部４に沿って折り曲げられるようにした。【選択図】図１
2020193435.tif 000002
【特許請求の範囲】
【請求項１】
ドアハンドルの外壁面を覆い、内壁面の中央部の接着部において前記ドアハンドルの外壁面に接着されて前記ドアハンドルに固定されるドアハンドルカバーであって、
前記内壁面に前記接着部に隣接した位置で延びる溝部を設けたことを特徴とするドアハンドルカバー。
【請求項２】
前記溝部は、少なくとも、前記ドアハンドルカバーの抉じ開け位置となる端部と前記接着部との間に設けられ、前記端部と前記接着部を結ぶ方向に対して垂直に延びるように形成されることを特徴とする請求項１に記載のドアハンドルカバー。
【請求項３】
前記溝部は、前記接着部の周囲を全周に亘って囲むように設けられていることを特徴とする請求項１または２に記載のドアハンドルカバー。
【請求項４】
前記溝部は、前記接着部を挟んで同一方向に延びる一組の第１の溝部を有することを特徴とする請求項１または２に記載のドアハンドルカバー。
【請求項５】
前記溝部は、前記接着部を挟んで同一方向に延びる一組の第２の溝部を有し、前記第１の溝部と前記第２の溝部とは異なる位置で異なる方向に延びるように配置されることを特徴とする請求項４に記載のドアハンドルカバー。
【請求項６】
前記ドアハンドルは、車両のドアの外側に設けられていることを特徴とする請求項１から５のいずれか１項に記載のドアハンドルカバー。
【発明の詳細な説明】
【技術分野】
【０００１】
本発明は、車両のドアハンドルを覆うドアハンドルカバーに関する。
【背景技術】
【０００２】
従来、車両のドアハンドルの外観を向上させるためのドアハンドルカバーが市販されている。車両用のドアハンドルカバーは、例えば特許文献１に記載されているように、表面を金属色調とした樹脂等により形成され、アウタドアハンドルの外壁面の形状に合わせて略隙間なく装着するように形成されている。
ドアハンドルカバーは、例えば内壁面の略中央部に接着材を塗布されて、ドアハンドルに固定される。
【先行技術文献】
【特許文献】
【０００３】
【特許文献１】特開２００８−２０２２８６号公報
【発明の概要】
【発明が解決しようとする課題】
【０００４】
上記のように、接着材によって固定したドアハンドルカバーにおいて、経年劣化等により表面の色調がくすんできた場合や、異なる色調のドアハンドルカバーに変更したい場合には、接着材で固定されたドアハンドルカバーをドアハンドルから取り外す必要がある。このように接着されたドアハンドルカバーを交換する場合には、ドアハンドルとドアハンドルカバーの間にドライバ等の工具の先端を挿入して抉じ開けることが一般的である。
【０００５】
しかしながら、上記のようにドアハンドルカバーの略中央部でドアハンドルに接着されているので、ドアハンドルカバーの端部からドライバ等の工具の先端を挿入しても接着部に先端が到達せずに、容易にドアハンドルカバーを抉じ開けて取り外すことが困難となる場合がある。
本発明はこのような問題点を解決するためになされたもので、ドアハンドルに接着材で固定されたドアハンドルカバーを容易に取り外すことが可能なドアハンドルカバーを提供することにある。
【課題を解決するための手段】
【０００６】
上記の目的を達成するために、本発明は、ドアハンドルの外壁面を覆い、内壁面の中央部の接着部において前記ドアハンドルの外壁面に接着されて前記ドアハンドルに固定されるドアハンドルカバーであって、前記内壁面に前記接着部に隣接した位置で延びる溝部を設けたことを特徴とする。
これにより、ドアハンドルに接着されて固定されたドアハンドルカバーを取り外す際に、ドアハンドルとドアハンドルカバーの端部との間に工具等を差し込んでドアハンドルカバーを抉じ開けたときに、接着部に隣接した溝部に沿ってドアハンドルカバーを折り曲げることができる。これにより、接着部がドアハンドルカバーの端部より離間した中央部の位置であっても、ドアハンドルカバーが折り曲げられることで、ドアハンドルとドアハンドルカバーとの接着部の近傍を露出させることができる。したがって、更に接着部に工具等を差し込んで容易に接着部を取り外すことができる。
【０００７】
好ましくは、前記溝部は、少なくとも、前記ドアハンドルカバーの抉じ開け位置となる端部と前記接着部との間に設けられ、前記端部と前記接着部を結ぶ方向に対して垂直に延びるように形成されるとよい。
これにより、ドアハンドルカバーの端部に工具等を差し込んでドアハンドルカバーを抉じ開けたときに、このドアハンドルカバーの抉じ開け位置と接着部との間に設けられ、抉じ開け位置と接着部を結ぶ方向に対して垂直に延びる溝部に沿って、ドアハンドルカバーを容易に折り曲げることができる。
【０００８】
好ましくは、前記溝部は、前記接着部の周囲を全周に亘って囲むように設けられているとよい。
これにより、ドアハンドルカバーの端部のいずれの位置から工具等を差し込んでドアハンドルカバーを抉じ開けようとしても、接着部に隣接した溝部のいずれかの位置で容易にドアハンドルカバーを折り曲げることができる。
【０００９】
好ましくは、前記溝部は、前記接着部を挟んで同一方向に延びる一組の第１の溝部を有するとよい。
これにより、第１の溝部が伸びる方向と垂直な方向側からドアハンドルカバーの端部に工具等を差し込んでドアハンドルカバーを抉じ開けた際に、ドアハンドルカバーを容易に折り曲げて、ドアハンドルカバーを容易に取り外すことができる。
【００１０】
なお、第１の溝部のみ有する場合に、第１の溝部が伸びる方向と同一の方向側からドアハンドルカバーの端部に工具等を差し込んでドアハンドルカバーを抉じ開けようとした場合には、ドアハンドルカバーを容易に折り曲げることが困難となる。したがって、接着力が低い場合には、ドアハンドルカバーを破損させずに取り外すことができ、ドアハンドルカバーを再利用することが可能となる。
【００１１】
好ましくは、前記溝部は、前記接着部を挟んで同一方向に延びる一組の第２の溝部を有し、前記第１の溝部と前記第２の溝部とは垂直な方向に異なる位置で異なる方向に延びるように配置されるとよい。
これにより、第１の溝部が伸びる方向と垂直な方向側だけでなく、第２の溝部が伸びる方向と垂直な方向側からドアハンドルカバーの端部に工具等を差し込んだ場合でもドアハンドルカバーを容易に抉じ開けて、ドアハンドルカバーを容易に折り曲げて取り外すことができる。
【００１２】
好ましくは、前記ドアハンドルは、車両のドアの外側に設けられているとよい。
これにより、車両のドアの外側に設けられているドアハンドルに取り付けたドアハンドルカバーを容易に取り外すことが可能となる。
【発明の効果】
【００１３】
本発明のドアハンドルカバーによれば、ドアハンドルとドアハンドルカバーの端部との間に工具等を差し込んでドアハンドルカバーを抉じ開けたときに、溝部においてドアハンドルカバーを折り曲げて、ドアハンドルとドアハンドルカバーとの接着部の端部付近を露出させることができる。
これにより、更に接着部に工具等を差し込んで容易に接着部を抉じ開けることができ、ドアハンドルの中央部で接着材によって固定されたドアハンドルカバーを容易に取り外すことが可能となる。
【図面の簡単な説明】
【００１４】
【図１】本発明の第１の実施形態のドアハンドルカバーの形状を示す斜視図である。
【図２】第１の実施形態のドアハンドルカバーの縦断面図である。
【図３】第１の実施形態のドアハンドルカバーの取り外し要領を示す説明図である。
【図４】第２の実施形態のドアハンドルカバーの形状を示す斜視図である。
【図５】第３の実施形態のドアハンドルカバーの形状を示す斜視図である。
【図６】第４の実施形態のドアハンドルカバーの形状を示す斜視図である。
【発明を実施するための形態】
【００１５】
以下、本発明の実施形態について図面を参照しながら説明する。
図１は、本発明の第１の実施形態のドアハンドルカバーの形状を示す斜視図である。図２は、第１の実施形態のドアハンドルカバーの縦断面図である。なお、図２は、図１中に記載したＡ−Ａ部の拡大断面図である。図３は、第１の実施形態のドアハンドルカバーの取り外し要領を示す説明図である。図３において（ａ）→（ｂ）→（ｃ）の手順で、ドアハンドルカバーが取り外される。
【００１６】
本発明のドアハンドルカバー１は、車両のサイドドア等に設けられるドアハンドル２の外観を向上させるために使用されるカバーである。
図１、２に示すように、本発明の第１の実施形態のドアハンドルカバー１は、ドアハンドル２の車体外側の露出部分である外壁面２ａを覆うように形成されている。ドアハンドル２は、車両の前後方向に棒状に伸びるように配置され、上下方向の断面がコの字状に形成されている。
【００１７】
ドアハンドルカバー１は、例えば樹脂によって形成され、車体外側の外壁面１ａが例えば金属調の色調になっている。
ドアハンドルカバー１は、内壁面１ｂがドアハンドル２の外壁面２ａに略隙間なく接触して配置されており、接着材で固定されている。ドアハンドルカバー１とドアハンドル２との接着部３は、ドアハンドルカバー１の内壁面１ｂの略中央部の１か所である。
【００１８】
本実施形態のドアハンドルカバー１は、内壁面１ｂに接着部３に隣接して、その周囲を全周に亘って囲むように、溝部４が形成されている。溝部４は、例えば断面が内壁面１ｂ側から外壁面１ａ側に向かって尖った三角形状に形成されている。
溝部４は、少なくとも、接着部３の車両の前後方向側で上下方向に延びる部位、即ち車両前後方向に対して垂直に延びる部位４ａを有している。
【００１９】
なお、ドアハンドル２にドアハンドルカバー１を固定する場合には、ドアハンドルカバー１の内壁面１ｂの中央部（接着部３）に接着材を塗布して、ドアハンドルカバー１をドアハンドル２に被せて密着させる。
一方、図３（ａ）に示すように、ドアハンドル２から接着によって固定されているドアハンドルカバー１を取り外す場合には、ドアハンドルカバー１の端部、例えば車両の後方側の端部においてドアハンドルカバー１とドアハンドル２との間に、ドライバ等の工具Ｔの先端を差し込んで抉じ開ける。
【００２０】
ここで、溝部４のない従来のドアハンドルカバーでは、車両の前後方向のいずれかの端部側からドアハンドルカバーとドアハンドル２との間に工具を差し込んでドアハンドルカバーを取り外そうとしても、工具Ｔの差し込む位置と接着部３との間でドアハンドルカバーが撓み、接着部３に引き剥がす力が大きく作用せず、接着部３が剥がれにくい。そして、更に大きな力でドアハンドルカバーを引き剥がそうとすると、ドアハンドルカバーが予測不能な位置で鋭利に割れ、鋭利に割れたドアハンドルカバーの一部がドアハンドル２上に残ってしまう可能性がある。これにより、更なる工具の差し込みが危険となり、ドアハンドルカバーを容易に取り外すことが困難になる恐れがある。
【００２１】
これに対し、本実施形態では、図３（ｂ）に示すように、接着部３の周囲に隣接して溝部４が形成されているので、工具Ｔを差し込んでドアハンドルカバー１をドアハンドルから引き剥がそうとすると、溝部４の、特に抉じ開け位置であるドアハンドルカバー１の後端部と接着部３とを結ぶ方向に対して垂直に延びる部位４ａに沿ってドアハンドルカバー１が折り曲げられやすい構造になっている。
【００２２】
このようにドアハンドルカバー１が接着部３近傍の溝部４で折り曲げられることによって、接着部３の周囲を露出させることが可能となる。これにより、図３（ｃ）に示すように、更に工具を接着部３の近傍に容易に差し込むことができ、接着部３に引き剥がす力を付与して、当該接着部３を効率よく引きはがすことができる。また、ドアハンドルカバー１が溝部４に沿って折り曲げられることで、ドアハンドルカバー１が鋭利に割れることを抑制して、以降のドアハンドルカバー１の取り外し作業の安全性を向上させることができる。
【００２３】
なお、本実施形態では、ドアハンドルカバー１を取り外すことで、ドアハンドルカバー１が溝部４に沿って折り曲げられるので、ドアハンドルカバー１の再利用は不能である。
図４は、第２の実施形態のドアハンドルカバー１１の形状を示す斜視図である。
第２の実施形態のドアハンドルカバー１１は、接着部３を挟むように、内壁面１１ｂに井桁状に溝部１２が設けられている。詳しくは、接着部３の左右方向外方の近傍に上下方向に延びる一対の上下溝部１３（第１の溝部）と、接着部３の上下方向外方の近傍に左右方向に延びる一対の左右溝部１４（第２の溝部）と、が設けられている。
【００２４】
このように井桁状に溝部１２を設けることで、ドアハンドルカバー１の左右方向端部あるいは上下方向端部のいずれからでも、ドライバ等の工具Ｔを差し込んで、接着部３の近傍の位置で折り曲げることができる。
図３のように、ドアハンドルカバー１１の左右方向端部にドライバ等の工具Ｔを差し込んで抉じ開けようとすると、同一方向に延びる一対の上下溝部１３のうち、差し込んだ側の上下溝部１３に沿ってドアハンドルカバー１１が折り曲げられる。これにより、接着部３に左右方向側から工具Ｔを差し込み易くなる。
【００２５】
一方、ドアハンドルカバー１１の上下方向端部に工具Ｔを差し込んで抉じ開けることができ、この場合には、同一方向に延びる一対の左右溝部１４のうち、差し込んだ側の左右溝部１４に沿ってドアハンドルカバー１１が折り曲げられて、接着部３に上下方向側からドライバ等の工具Ｔが差し込み易くなる。
以上のように、ドアハンドルカバー１１の車両前後方向側及び上下方向側のいずれの端部からドライバ等の工具Ｔを差し込んでも容易にドアハンドルカバー１１を抉じ開けて取り外すことができる。
【００２６】
図５は、第３の実施形態のドアハンドルカバー２１の形状を示す斜視図である。
第３の実施形態のドアハンドルカバー２１は、第２の実施形態のドアハンドルカバー１１における上下溝部１３及び左右溝部１４のうち、上下溝部１３のみ内壁面２１ｂに設けている。
このように、左右溝部１４を設けないことによって、ドアハンドルカバー２１の上下方向側の端部からドライバ等の工具Ｔを差し込んでも、ドアハンドルカバー２１が折れ難い。したがって、接着部３が比較的弱く接着されている場合には、ドアハンドルカバー２１を破損させずに取り外すことができ、ドアハンドルカバー２１を再利用することができる。
【００２７】
一方、ドアハンドルカバー２１を再利用する必要がない場合には、ドアハンドルカバー２１の左右方向側の端部から工具Ｔを差し込むことで、ドアハンドルカバー２１を上下溝部１３に沿って容易に折り曲げることができる。したがって、更に接着部３にドライバ等の工具Ｔを差し込んで容易にドアハンドルカバー２１を取り外すことが可能となる。
図６は、第４の実施形態のドアハンドルカバー３１の形状を示す斜視図である。
【００２８】
第４の実施形態のドアハンドルカバー３１は、第２の実施形態のドアハンドルカバー１１における一組の上下溝部１３及び一組の左右溝部１４のうち、左右溝部１４のみ内壁面３１ｂに設けている。
このように、上下溝部１３を設けないことによって、ドアハンドルカバー３１の左右方向側の端部からドライバ等の工具Ｔを差し込んでも、ドアハンドルカバー３１が折れ難い。したがって、接着部３が比較的弱く接着されている場合には、ドアハンドルカバー３１を破損させずに取り外すことができ、ドアハンドルカバー３１を再利用することができる。
【００２９】
一方、ドアハンドルカバー３１を再利用する必要がない場合には、ドアハンドルカバー１１の上下方向の端部から工具Ｔを差し込むことで、ドアハンドルカバー３１を左右溝部１４に沿って容易に折り曲げることができる。したがって、更に接着部３にドライバ等の工具Ｔを差し込んで容易にドアハンドルカバー３１を取り外すことが可能となる。
以上のように、本発明は、ドアハンドルカバー１、１１、２１、３１の内壁面１ｂ、１１ｂ、２１ｂ、３１ｂに溝部４、１２、１３、１４を設けるといった簡単な構造で、ドアハンドルカバー１、１１、２１、３１を折り曲げて容易に取り外すことが可能となる。
【００３０】
なお、本発明は、上記実施形態に限定するものではない。
例えば、溝部４、１２、１３、１４については、少なくとも接着部３に隣接した位置に設ければよく、延びる方向や形状を適宜変更してもよい。
また、溝部４、１２、１３、１４の位置や大きさは、ドアハンドルカバー１、１１、２１、３１の形状や大きさ、接着部３の位置等に対応して適宜変更してもよい。
【００３１】
また、車両の外側のドアハンドル以外のドアハンドルを覆うドアハンドルカバーに対しても、本発明を広く適用することができる。
【符号の説明】
【００３２】
１、１１、２１、３１  ドアハンドルカバー
１ｂ、１１ｂ、２１ｂ、３１ｂ  内壁面
２  ドアハンドル
３  接着部
４、１２  溝部
１３  上下溝部（第１の溝部）
１４  左右溝部（第２の溝部）
【図１】
2020193435.tif 000003
【図２】
2020193435.tif 000004
【図３】
2020193435.tif 000005
【図４】
2020193435.tif 000006
【図５】
2020193435.tif 000007
【図６】
2020193435.tif 000008